(57)【要約】【課題】コネクタ嵌合時におけるフェルールのガタツキを抑制することにより、コネクタ嵌合時の光損失を抑制することができる光コネクタ装置を提供する。【解決手段】光コネクタ装置１は、フェルール５を保持する第一ハウジング６を有する第一光コネクタ２と、ＦＯＴ及び導光部材が収容される第二ハウジング１４を有する第二光コネクタ３とを備える。第二ハウジング１４は、フェルール挿入部２３を備える。フェルール挿入部２３は、フェルール５が挿入可能なフェルール挿入孔２５が形成される。フェルール挿入孔２５の内周面２６に、フェルール挿入孔２５内におけるフェルール５のガタツキを抑制するためフェルール５をフェルール挿入孔２５内に固定するフェルール固定手段２７を設ける。【選択図】図３
2019056895.tif 000002
【特許請求の範囲】
【請求項１】
光ファイバの先端に設けられたフェルールを保持する第一ハウジングを有する第一光コネクタと，
ＦＯＴ（Ｆｉｂｅｒ  Ｏｐｔｉｃ  Ｔｒａｎｓｃｅｉｖｅｒ）に対して用いられる導光部材と、前記ＦＯＴ及び前記導光部材が収容され且つ前記第一ハウジングが嵌合される第二ハウジングと、を有する第二光コネクタと，
を備え、
前記第二ハウジングは、
この内部にフェルール挿入部を備え、
該フェルール挿入部は、
前記フェルールが挿入可能なフェルール挿入孔が前記フェルールの挿入方向に沿って形成され且つ前記フェルール挿入孔に前記フェルールが挿入された状態において該フェルールが前記導光部材と対向して配置されるように形成され、
前記フェルールの外周面と前記フェルール挿入孔の内周面との少なくとも一方に、
前記フェルール挿入孔内における前記フェルールのガタツキを抑制するため該フェルールを前記フェルール挿入孔内に固定するフェルール固定手段を設ける
ことを特徴とする光コネクタ装置。
【請求項２】
請求項１に記載の光コネクタ装置において、
前記フェルール固定手段は、
前記フェルールが前記フェルール挿入孔の前記内周面に押し付けられて固定されるように形成される
ことを特徴とする光コネクタ装置。
【請求項３】
請求項２に記載の光コネクタ装置において、
前記フェルール挿入孔は、
前記内周面が円筒状に形成され、
前記フェルール固定手段は、
一対設けてなり、且つ、前記フェルール挿入孔の中心軸に直交する線分を中心に線対称になるように配置され、且つ、前記フェルールを前記フェルール挿入孔の前記内周面に押し付けることができるように配置される
ことを特徴とする光コネクタ装置。
【請求項４】
請求項１に記載の光コネクタ装置において、
前記フェルール固定手段は、
前記フェルールの中心軸と前記フェルール挿入孔の中心軸とが略同軸となるような配置に前記フェルールが固定されるように形成される
ことを特徴とする光コネクタ装置。
【請求項５】
請求項４に記載の光コネクタ装置において、
前記フェルールの前記外周面と前記フェルール挿入孔の前記内周面とは、
それぞれ円筒状に形成され、
前記フェルール固定手段は、
少なくとも３箇所に配置され、且つ、前記フェルールの前記外周面と前記フェルール挿入孔の前記内周面との少なくとも一方の周方向に略等分となるように配置される
ことを特徴とする光コネクタ装置。
【発明の詳細な説明】
【技術分野】
【０００１】
本発明は、光通信分野で用いられる光コネクタ装置に関し、詳しくは、ＦＯＴ（Ｆｉｂｅｒ  Ｏｐｔｉｃ  Ｔｒａｎｓｃｅｉｖｅｒ）と相手側との間に導光部材が配置される光コネクタ装置に関する。
【背景技術】
【０００２】
従来、例えば、車載機器間の光通信には、光コネクタ装置が用いられている。このような光コネクタ装置として、例えば、特許文献１に開示されているような技術が用いられてきた。
【０００３】
特許文献１の図１及び図２に図示する光コネクタ装置１は、プラグコネクタ１Ａと、プラグコネクタ１Ａの嵌合相手となるインラインコネクタ１Ｂとを備えている。プラグコネクタ１Ａは、プラグ側光ファイバ１１の先端に設けられたプラグ側フェルール１２を保持するプラグ側ハウジング２０を有している。インラインコネクタ１Ｂは、インライン側光ファイバ３１の先端に設けられたインライン側フェルール３２を保持するインライン側ハウジング４０を有している。
【０００４】
インライン側ハウジング４０は、インライン側本体４１を備えている。インライン側本体４１には、プラグ側ハウジング２０が嵌合される嵌合フード部４１Ａと、プラグ側フェルール１２が収容される収容室４１Ｂとが設けられている。
【０００５】
光コネクタ装置１は、プラグ側ハウジング２０とインライン側ハウジング４０とが嵌合することによって、インライン側本体４１の収容室４１Ｂにプラグ側フェルール１２が収容されてプラグ側フェルール１２及びインライン側フェルール３２の先端同士が接触するようになっている。光コネクタ装置１は、プラグ側フェルール１２及びインライン側フェルール３２の先端同士が接触することによって、プラグ側光ファイバ１１とインライン側光ファイバ３１とが光学的に接続されている。
【先行技術文献】
【特許文献】
【０００６】
【特許文献１】特開２０１４−１２６６５５号公報
【発明の概要】
【発明が解決しようとする課題】
【０００７】
ところで、従来技術では、プラグコネクタの嵌合相手となる相手コネクタ（特許文献１におけるインラインコネクタ１Ｂに相当）には、相手コネクタ内の収容室（特許文献１における収容室４１Ｂに相当）に収容されたプラグ側フェルールのガタツキを抑制する構造を設けていない。このような従来技術では、下記のような問題点があった。
【０００８】
すなわち、従来技術では、上記プラグ側フェルールのガタツキを抑制する構造を設けていないことにより、相手コネクタの収容室内において、プラグ側フェルールのガタツキが生じてしまい、相手コネクタの収容室内で傾いてしまうというような虞があった。このようなプラグ側フェルールの傾きによって、プラグ側光ファイバの光軸が、相手コネクタ側の導光部材（特許文献１におけるインライン側光ファイバ３１に相当）の光軸に対して傾いてしまうというような虞があった。このようなプラグ側光ファイバの光軸の傾きが生じることにより、プラグ側光ファイバと相手コネクタ側の導光部材との間で光軸のズレが生じてしまうというような虞があった。このように、上記光軸のズレが生じてしまった場合、コネクタ嵌合時の光損失が増大する虞があるという問題点があった。
【０００９】
本発明は、上記した事情に鑑みてなされたもので、コネクタ嵌合時におけるフェルールのガタツキを抑制することにより、コネクタ嵌合時の光損失を抑制することができる光コネクタ装置を提供することを課題とする。
【課題を解決するための手段】
【００１０】
上記課題を解決するためになされた請求項１記載の本発明の光コネクタ装置は、光ファイバの先端に設けられたフェルールを保持する第一ハウジングを有する第一光コネクタと，
ＦＯＴ（Ｆｉｂｅｒ  Ｏｐｔｉｃ  Ｔｒａｎｓｃｅｉｖｅｒ）に対して用いられる導光部材と、前記ＦＯＴ及び前記導光部材が収容され且つ前記第一ハウジングが嵌合される第二ハウジングと、を有する第二光コネクタと，
を備え、
前記第二ハウジングは、
この内部にフェルール挿入部を備え、
該フェルール挿入部は、
前記フェルールが挿入可能なフェルール挿入孔が前記フェルールの挿入方向に沿って形成され且つ前記フェルール挿入孔に前記フェルールが挿入された状態において該フェルールが前記導光部材と対向して配置されるように形成され、
前記フェルールの外周面と前記フェルール挿入孔の内周面との少なくとも一方に、
前記フェルール挿入孔内における前記フェルールのガタツキを抑制するため該フェルールを前記フェルール挿入孔内に固定するフェルール固定手段を設けることを特徴とする。
【００１１】
このような特徴を有する本発明によれば、フェルール固定手段にて、フェルールがフェルール挿入孔内に固定される。フェルールが上記の通り固定されることにより、コネクタ嵌合時におけるフェルール挿入孔内でのフェルールのガタツキが抑制される。このように、フェルールのガタツキが抑制されることにより、フェルール挿入孔内でのフェルールの傾きが規制された状態となりフェルールの中心が一定となる。このように、フェルールの中心が一定となることにより、導光部材の光軸に対する光ファイバの光軸のズレが抑制される。
【００１２】
請求項２記載の本発明の光コネクタ装置は、請求項１に記載の光コネクタ装置において、
前記フェルール固定手段は、
前記フェルールが前記フェルール挿入孔の前記内周面に押し付けられて固定されるように形成されることを特徴とする。
【００１３】
このような特徴を有する本発明によれば、フェルール固定手段にて、フェルールがフェルール挿入孔の内周面に押し付けられて固定される。フェルールが上記の通り固定されることにより、コネクタ嵌合時におけるフェルール挿入孔内でのフェルールのガタツキが抑制される。このように、フェルールのガタツキが抑制されることにより、フェルール挿入孔内でのフェルールの傾きが規制された状態となりフェルールの中心が一定となる。このように、フェルールの中心が一定となることにより、導光部材の光軸に対する光ファイバの光軸のズレが抑制される。
【００１４】
請求項３記載の本発明の光コネクタ装置は、請求項２に記載の光コネクタ装置において、
前記フェルール挿入孔は、
前記内周面が円筒状に形成され、
前記フェルール固定手段は、
一対設けてなり、且つ、前記フェルール挿入孔の中心軸に直交する線分を中心に線対称になるように配置され、且つ、前記フェルールを前記フェルール挿入孔の前記内周面に押し付けることができるように配置されることを特徴とする。
【００１５】
このような特徴を有する本発明によれば、フェルール固定手段にて、フェルールがフェルール挿入孔の内周面側に必ず押し付けられる。これにより、コネクタ嵌合時におけるフェルール挿入孔内でのフェルールのガタツキが、より確実に抑制され、上記ガタツキによる光ファイバの光軸のズレが、より確実に抑制される。
【００１６】
請求項４記載の本発明の光コネクタ装置は、請求項１に記載の光コネクタ装置において、
前記フェルール固定手段は、
前記フェルールの中心軸と前記フェルール挿入孔の中心軸とが略同軸となるような配置に前記フェルールが固定されるように形成されることを特徴とする。
【００１７】
このような特徴を有する本発明によれば、フェルール固定手段にて、フェルールの中心軸とフェルール挿入孔の中心軸とが略同軸となるような配置にフェルールが固定される。フェルールが上記の通り固定されることにより、コネクタ嵌合時におけるフェルール挿入孔内でのフェルールのガタツキが抑制される。さらに、フェルールが上記の通り固定されることにより、フェルールはこの中心軸がフェルール挿入孔の中心軸と略同軸となるように配置が規制される。中心軸がフェルール挿入孔の中心軸と略同軸となるように配置が規制されたフェルールは、この中心軸がフェルール挿入孔の中心軸からズレることが無い状態となる。このように、フェルールのガタツキが抑制されるとともに、フェルールの中心軸がフェルール挿入孔の中心軸からズレることが無い状態となることにより、フェルール挿入孔内でのフェルールの傾きが規制された状態となりフェルールの中心が一定となることで光ファイバの光軸が安定する。このように、光ファイバの光軸が安定することにより、導光部材の光軸に対する光ファイバの光軸のズレが抑制される。
【００１８】
請求項５記載の本発明の光コネクタ装置は、請求項４に記載の光コネクタ装置において、
前記フェルールの前記外周面と前記フェルール挿入孔の前記内周面とは、
それぞれ円筒状に形成され、
前記フェルール固定手段は、
少なくとも３箇所に配置され、且つ、前記フェルールの前記外周面と前記フェルール挿入孔の前記内周面との少なくとも一方の周方向に略等分となるように配置されることを特徴とする。
【００１９】
このような特徴を有する本発明によれば、フェルール固定手段にて、フェルールの中心軸とフェルール挿入孔の中心軸とが、必ず略同軸となるような配置となるようにフェルールが固定される。これにより、コネクタ嵌合時におけるフェルール挿入孔内でのフェルールのガタツキが、より確実に抑制されるとともに、フェルールの中心軸がフェルール挿入孔の中心軸からズレることが無い状態となり、上記ガタツキや中心軸のズレによる光ファイバの光軸のズレが、より確実に抑制される。
【発明の効果】
【００２０】
本発明によれば、コネクタ嵌合時におけるフェルールのガタツキを抑制しフェルール挿入孔内でのフェルールの傾きを規制することができるため、導光部材の光軸に対する光ファイバの光軸のズレを抑制することができる。このように、上記光軸のズレを抑制することができることにより、コネクタ嵌合時の光損失を抑制することができるという効果を奏する。
【図面の簡単な説明】
【００２１】
【図１】本発明の光コネクタ装置の実施例１を示す分解斜視図である。
【図２】第一光コネクタと第二光コネクタとが嵌合した状態の光コネクタ装置を示す側面図である。
【図３】図２におけるＡ−Ａ間断面図である。
【図４】図３における矢印Ｂの指示する部分の拡大図である。
【図５】図４におけるＣ−Ｃ間断面図である。
【図６】比較例を示す図である。
【図７】本発明の光コネクタ装置の実施例２を示す図である。
【図８】本発明の光コネクタ装置の実施例３を示す図である。
【図９】図８におけるＦ−Ｆ間断面図である。
【図１０】本発明の光コネクタ装置の実施例４を示す図である。
【発明を実施するための形態】
【００２２】
以下、図１−図６を参照しながら、本発明に係る光コネクタ装置の実施例１について、また、図７を参照しながら、本発明に係る光コネクタ装置の実施例２について、また、図８及び図９を参照しながら、本発明に係る光コネクタ装置の実施例３について、さらに、図１０を参照しながら、本発明に係る光コネクタ装置の実施例４について、それぞれ、説明する。
【実施例１】
【００２３】
図１は本発明の光コネクタ装置の実施例１を示す分解斜視図、図２は第一光コネクタと第二光コネクタとが嵌合した状態の光コネクタ装置を示す側面図、図３は図２におけるＡ−Ａ間断面図、図４は図３における矢印Ｂの指示する部分の拡大図、図５は図４におけるＣ−Ｃ間断面図、図６は比較例を示す図である。
なお、図中の矢印は、上下、前後の各方向を示している（矢印の各方向は一例であるものとする）。
【００２４】
図１において、引用符号１は、本発明に係る光コネクタ装置の実施例１を示している。光コネクタ装置１は、特に限定するものではないが、例えば、車載機器間の光通信に用いられるものである。
【００２５】
図１に図示する光コネクタ装置１は、第一光コネクタ２と、第二光コネクタ３とを備えている。光コネクタ装置１は、図２に図示するように、第一光コネクタ２と、第二光コネクタ３とを嵌合することによって構成され、この嵌合によって、第一光コネクタ２と、第二光コネクタ３とが光学的に接続されている。以下、光コネクタ装置１の各構成について説明する。
【００２６】
まず、第一光コネクタ２について説明する。
図１に図示する第一光コネクタ２は、所謂、プラグコネクタであって、一対の光ファイバケーブル４と、一対のフェルール５と、第一ハウジング６と、固定部材７とを備えている。以下、第一光コネクタ２の各構成について説明する。
【００２７】
図１に図示する光ファイバケーブル４は、導光材料からなる光ファイバ８と、被覆部９とを備えている。光ファイバ８は、互いに屈折率が異なるように形成され且つ互いに同軸的に配されたコアとクラッドとを備えた、所謂、マルチモードプラスチック光ファイバである。被覆部９は、絶縁性を有する合成樹脂からなるシースが光ファイバ８の外側に二重に被覆されてなる。光ファイバケーブル４は、先端にて被覆部９が剥離されて光ファイバ８が露出されている。
【００２８】
図１に図示するフェルール５は、外周面３１が円筒状に形成され、光ファイバケーブル４の先端にて露出された光ファイバ８を挿通し保持することが可能な貫通孔が設けられている。
【００２９】
図１に図示する第一ハウジング６は、絶縁性を有する合成樹脂からなり、後述する第二ハウジング１４と嵌合することが可能な部材である。第一ハウジング６は、この内部に、光ファイバケーブル４の先端に設けられたフェルール５を収容するフェルール収容部１０を備えている。第一ハウジング６は、特に図示しないが、固定部材７を組み付ける側となる下面に装着部が開口形成されている。
【００３０】
図１に図示する固定部材７は、詳細な説明は省略するが、第一ハウジング６とは別体に設けられる部材であって、第一ハウジング６に対して仮係合状態から本係合状態に係合状態を変化させて組み付けることによって光ファイバケーブル４の先端に設けられたフェルール５を第一ハウジング６に固定する固定部材である。
【００３１】
つぎに、第二光コネクタ３について説明する。
図１に図示する第二光コネクタ３は、自動車などに搭載される各種の電子機器などの印刷配線板（Ｐｒｉｎｔｅｄ  Ｃｉｒｃｕｉｔ  Ｂｏａｒｄ、以下、ＰＣＢと称する）等に取り付けられる、所謂、ＰＣＢコネクタであって、発光側ＦＯＴ（Ｆｉｂｅｒ  Ｏｐｔｉｃ  Ｔｒａｎｓｃｅｉｖｅｒ、以下、ＦＯＴと称する）１１及び受光側ＦＯＴ１２と、導光部材１３と、第二ハウジング１４と、シールドケース１５とを備えている。以下、第二光コネクタ３の各構成について説明する。
【００３２】
図１に図示する発光側ＦＯＴ１１及び受光側ＦＯＴ１２は、一体的に形成されており、それぞれ、ＦＯＴ本体１６と、このＦＯＴ本体１６から延びる複数本のリードフレーム１７とを備えている。発光側ＦＯＴ１１のＦＯＴ本体１６には、図示しない発光素子（例えばＬＥＤ）が内蔵されている。受光側ＦＯＴ１２のＦＯＴ本体１６には、図示しない受光素子（例えばＰＤ）が内蔵されている。リードフレーム１７は、図示しないＰＣＢ上の回路接続部に半田付けされて所定の回路と電気的に接続されている。
【００３３】
図１に図示する導光部材１３は、光透過性を有する透明な合成樹脂材料からなり、板状部１８と、筒状部１９と、係合部２０とを備えている。板状部１８は、略長方形の板状に形成され、この前面の略中央には、一対の筒状部１９が突設されている。一対の筒状部１９は、それぞれの内部に凸レンズ機能を有するレンズ部２１（図５参照）が形成されている。一方のレンズ部２１は、発光側ＦＯＴ１１の発光素子からの光を光ファイバ８側に集光するものであり、他方のレンズ部２１は、光ファイバ８からの光を受光側ＦＯＴ１２の受光素子に集光するものである。係合部２０は、板状部１８の両側に連続して形成され、発光側ＦＯＴ１１と受光側ＦＯＴ１２とに係合することができるように形成されている。
【００３４】
図１に図示する第二ハウジング１４は、絶縁性を有する合成樹脂からなり、箱状に形成されている。第二ハウジング１４は、コネクタ嵌合部２２と、図示しないＦＯＴ収容部と、図示しない隔壁とを備えている。コネクタ嵌合部２２は、第二ハウジング１４の内部の前側に第一光コネクタ２（第一ハウジング６）が嵌合することができる空間として形成されている。ＦＯＴ収容部は、第二ハウジング１４の内部の後側に発光側ＦＯＴ１１及び受光側ＦＯＴ１２を収容することができる空間として形成されている。
【００３５】
隔壁は、第二ハウジング１４の内部を、コネクタ嵌合部２２とＦＯＴ収容部とに仕切るように形成された隔壁である。隔壁には、一対のフェルール挿入部２３（図３−図５参照）が形成されている。フェルール挿入部２３は、筒状に形成され、コネクタ嵌合部２２とＦＯＴ収容部とを連通するように形成されている。フェルール挿入部２３の内部は、図５に図示するように、フェルール挿入部２３の基端側に筒状部挿入孔２４が形成され、フェルール挿入部２３の先端側にフェルール挿入孔２５が形成されている。
【００３６】
図５に図示する筒状部挿入孔２４は、導光部材１３の筒状部１９が挿入することができるように筒状部１９の挿入方向に沿って形成されている。筒状部挿入孔２４は、図５に図示するように、導光部材１３の筒状部１９が挿入されるとレンズ部２１がフェルール挿入孔２５を臨むように配置することができるように形成されている。
【００３７】
図５に図示するフェルール挿入孔２５は、フェルール５が挿入することができるようにフェルール５の挿入方向に沿って形成されている。フェルール挿入孔２５は、第一光コネクタ２（第一ハウジング６）と第二光コネクタ３（第二ハウジング１４）とが嵌合されフェルール挿入孔２５にフェルール５が挿入された状態において、図５に図示するように、フェルール５が導光部材１３のレンズ部２１と対向して配置されるように形成されている。
【００３８】
フェルール挿入孔２５は、図５に図示するように、フェルール５が挿入された状態において光ファイバ８の光軸Ｄが導光部材１３のレンズ部２１の光軸Ｅと略同軸になるようにフェルール５が配置されるように形成されている。
【００３９】
なお、フェルール挿入孔２５は、フェルール５が挿入された状態において、光ファイバ８の光軸Ｄと導光部材１３のレンズ部２１の光軸Ｅとが平行であれば、光ファイバ８の光軸Ｄとレンズ部２１の光軸Ｅとが多少ズレていてもよいものとする。
【００４０】
フェルール挿入孔２５は、図３及び図４に図示するように、内周面２６が円筒状に形成されている。本実施例では、フェルール挿入孔２５は、内周面２６に、図３及び図４に図示するように、一対のフェルール固定手段２７が設けられている。フェルール固定手段２７は、フェルール挿入孔２５内におけるフェルール５のガタツキを抑制するためフェルール５をフェルール挿入孔２５内に固定することができるように形成されている。フェルール固定手段２７は、本実施例では、図３及び図４に図示するように、フェルール５の外周面３１を押圧することができ且つフェルール５がフェルール挿入孔２５の下側の内周面２６に押し付けられて固定されるように形成されている。フェルール固定手段２７は、本実施例では、断面が円弧状に形成されたリブ状に形成され、フェルール５の挿入方向に沿って延びるように形成されている。
【００４１】
なお、フェルール固定手段２７は、上記ようなリブ状に形成されたものに限定されるものではない。その他、フェルール固定手段２７は、例えば、断面が円弧状の突起として形成されていてもよいものとする。
【００４２】
ここで、図４に図示するように、フェルール挿入孔２５の中心軸Ｘに直交する線分を第一線分Ｌ１とし、この第一線分Ｌに直交するとともにフェルール挿入孔２５の中心軸Ｘを通過する線分を第二線分Ｌ２とし、第一線分Ｌ１とフェルール挿入孔２５の内周面２６との二つの交点それぞれを第一交点Ｙ１，Ｙ２とし、第二線分Ｌ２とフェルール挿入孔２５の内周面２６との二つの交点それぞれを第二交点Ｚ１，Ｚ２としたとき、本実施例では、一対のフェルール固定手段２７は、第一線分Ｌ１を中心に線対称になるように配置され、且つ、フェルール５をフェルール挿入孔２５の内周面２６に押し付けることができるように配置されている。
【００４３】
本実施例では、図４に図示するように、一対のフェルール固定手段２７は、一方の第一交点Ｙ１と一方の第二交点Ｚ１との間に一方のフェルール固定手段２７が配置されるとともに一方の第一交点Ｙ１と他方の第二交点Ｚ２との間に他方のフェルール固定手段２７が配置されている。
【００４４】
なお、図４において、中心軸Ｘ、第一交点Ｙ１，Ｙ２、及び、第二交点Ｚ１，Ｚ２は、それぞれ、ドットとして図示しているが、これらのドットは、説明の便宜上、図示するものであって、実際に見えるものではないものとする。
【００４５】
フェルール固定手段２７は、フェルール５がフェルール挿入孔２５の内周面２６に押し付けられて固定されるように形成されていればよく、第一線分Ｌ１を中心に線対称になるように配置され、且つ、他方の第一交点Ｙ２と一方の第二交点Ｚ１との間に一方のフェルール固定手段２７が配置されるとともに他方の第一交点Ｙ２と他方の第二交点Ｚ２との間に他方のフェルール固定手段２７が配置されてもよいものとする。
【００４６】
図１に図示する第二ハウジング１４は、この両側面にシールドケース位置決め部２８が設けられている。シールドケース位置決め部２８は、第二ハウジング１４に装着されたシールドケース１５の前後方向及び上下方向の位置決めをすることができるように形成されている。
【００４７】
図１に図示するシールドケース１５は、導電性を有する金属からなり、箱状に形成された部品であって、発光側ＦＯＴ１１及び受光側ＦＯＴ１２を収容した状態の第二ハウジング１４を覆うことができる大きさに形成されている。シールドケース１５の下部には、ピン形状の固定部２９とグランド部３０とが形成される。固定部２９は、ＰＣＢの固定孔に差し込まれて固定されている。グランド部３０は、ＰＣＢのスルーホールに差し込まれてグランドに半田付けされている。
【００４８】
つぎに、本実施例に係る光コネクタ装置の組み立て（第一光コネクタ２と第二光コネクタ３との嵌合）作業の手順について説明する。
【００４９】
まず、あらかじめ、第一光コネクタ２と第二光コネクタ３とを組み立てる。しかる後、第一光コネクタ２を前側から第二光コネクタ３の第二ハウジング１４のコネクタ嵌合部２２に挿入していくと、図２に図示するように、第一光コネクタ２と第二光コネクタ３とが嵌合する。以上により、光コネクタ装置の組み立て（第一光コネクタ２と第二光コネクタ３との嵌合）作業が完了する。
【００５０】
つぎに、本実施例に係る光コネクタ装置１と、比較例に係る光コネクタ装置１０１との比較について説明する。
【００５１】
本実施例に係る光コネクタ装置１は、図２に図示するように、第一光コネクタ２（第一ハウジング６）と第二光コネクタ３（第二ハウジング１４）とが嵌合されると、図５に図示するように、フェルール５がフェルール挿入孔２５に挿入された状態となり、フェルール５が導光部材１３のレンズ部２１と対向して配置される。
【００５２】
本実施例に係る光コネクタ装置１によれば、第一光コネクタ２と第二光コネクタ３とが嵌合された状態において、フェルール８の外周面３１がフェルール固定手段２７にて押圧されることにより、フェルール８がフェルール挿入孔２５の下側の内周面２６に押し付けられて固定される。フェルール８が上記の通り固定されることにより、第一光コネクタ２と第二光コネクタ３との嵌合時におけるフェルール挿入孔２５内でのフェルール５のガタツキが抑制される。このように、フェルール５のガタツキが抑制されることにより、フェルール挿入孔２５内でのフェルール５の傾きが規制された状態となりフェルール５の中心が一定となる。このように、フェルール５の中心が一定となることにより、導光部材１３のレンズ部２１の光軸Ｅに対する光ファイバ８の光軸Ｄのズレが抑制される。
【００５３】
また、本実施例に係る光コネクタ装置１によれば、一対のフェルール固定手段２７にて、フェルール５がフェルール挿入孔２５の内周面２６に必ず押し付けられる。これにより、第一光コネクタ２と第二光コネクタ３との嵌合時におけるフェルール挿入孔２５内でのフェルール５のガタツキが、より確実に抑制され、上記ガタツキによる光ファイバ８の光軸Ｄのズレが、より確実に抑制される。
【００５４】
これに対し、図６に図示する比較例（光コネクタ装置１０１）は、フェルール挿入孔１２５の内周面１２６に、本実施例におけるフェルール固定手段２７を設けていない。このため、光コネクタ装置１０１では、第一光コネクタ１０２と第二光コネクタ１０３との嵌合時にフェルール挿入孔１２５内でフェルール１０５のガタツキが生じてしまう。このように、フェルール５のガタツキが生じることにより、図６に図示するように、フェルール挿入孔１２５内でフェルール１０５が傾いてしまいフェルール１０５の中心が安定しなくなってしまう。このように、フェルール１０５の中心が安定しないことにより、導光部材１１３のレンズ部１２１の光軸Ｅに対して光ファイバ８の光軸Ｄのズレてしまう。
【００５５】
つぎに、本実施例に係る光コネクタ装置１の効果について説明する。
【００５６】
以上、図１−図６を参照しながら説明してきたように、本実施例に係る光コネクタ装置１によれば、第一光コネクタ２と第二光コネクタ３との嵌合時におけるフェルール５のガタツキを抑制しフェルール挿入孔２５内でのフェルール５の傾きを規制することができるため、導光部材１３のレンズ部２１の光軸Ｅに対する光ファイバ８の光軸Ｄのズレを抑制することができる。このように、光ファイバ８の光軸Ｄとレンズ部２１の光軸Ｅとのズレを抑制することができることにより、第一光コネクタ２と第二光コネクタ３との嵌合時の光損失を抑制することができるという効果を奏する。
【実施例２】
【００５７】
本発明に係る光コネクタ装置は、実施例１の他、下記の実施例２を用いてもよいものとする。以下、図７を参照しながら、実施例２について説明する。
【００５８】
図７は本発明の光コネクタ装置の実施例２を示す図である。
なお、実施例１と同一の構成部材には同一の符号を付して詳細な説明を省略する。
【００５９】
図７に図示する光コネクタ装置４１は、フェルール５の外周面３１に、一対のフェルール固定手段４７が設けられている点において実施例１と異なっている。フェルール固定手段４７は、図７に図示するように、フェルール挿入孔２５の内周面２６を押圧することができ且つフェルール５がフェルール挿入孔２５の下側の内周面２６に押し付けられて固定されるように形成されている。
【００６０】
つぎに、本実施例に係る光コネクタ装置４１の効果について説明する。
【００６１】
以上、図７を参照しながら説明してきたように、本実施例に係る光コネクタ装置４１によれば、実施例１と同様の効果を奏する。
【実施例３】
【００６２】
本発明に係る光コネクタ装置は、実施例１、２の他、下記の実施例３を用いてもよいものとする。以下、図８及び図９を参照しながら、実施例３について説明する。
【００６３】
図８は本発明の光コネクタ装置の実施例３を示す図、図９は図８におけるＦ−Ｆ間断面図である。
なお、実施例１と同一の構成部材には同一の符号を付して詳細な説明を省略する。
【００６４】
図８に図示する光コネクタ装置５１は、フェルール挿入孔２５の内周面２６に、特許請求の範囲に記載される「フェルール固定手段」が設けられている点において実施例１と同様であるが、「フェルール固定手段」の数及び配置箇所において実施例１と異なっている。
【００６５】
本実施例におけるフェルール固定手段５７は、図８に図示するように、フェルール５の中心軸Ｘ１とフェルール挿入孔２５の中心軸Ｘ２とが略同軸となるような配置にフェルール５が固定されるように形成されている。
【００６６】
図８に図示するフェルール固定手段５７は、フェルール挿入孔２５の内周面２６の少なくとも３箇所（本実施例では、３箇所）に配置され、且つ、フェルール挿入孔２５の内周面２６の周方向に略等分（本実施例では、略３等分）となるように配置されている。
【００６７】
なお、フェルール固定手段５７の数及び配置箇所は、上記のものに限定されるものではない。フェルール固定手段５７の数及び配置箇所は、フェルール５の中心軸Ｘ１とフェルール挿入孔２５の中心軸Ｘ２とが略同軸となるような配置にフェルール５を固定することができるものであればよく、その他、例えば、フェルール挿入孔２５の内周面２６の４箇所に配置され、且つ、フェルール挿入孔２５の内周面２６の周方向に略４等分となるように配置されていてもよいものとする。
【００６８】
つぎに、本実施例に係る光コネクタ装置５１と、比較例に係る光コネクタ装置１０１との比較について説明する。
【００６９】
本実施例に係る光コネクタ装置５１は、第一光コネクタ２（第一ハウジング６）と第二光コネクタ３（第二ハウジング１４）とが嵌合されると、図９に図示するように、フェルール５がフェルール挿入孔２５に挿入された状態となり、フェルール５が導光部材１３のレンズ部２１と対向して配置される。
【００７０】
本実施例に係る光コネクタ装置５１によれば、図８に図示するように、フェルール固定手段５７にて、フェルール５の中心軸Ｘ１とフェルール挿入孔２５の中心軸Ｘ２とが略同軸となるような配置にフェルール５が固定される。フェルール５が上記の通り固定されることにより、コネクタ嵌合時におけるフェルール挿入孔２５内でのフェルール５のガタツキが抑制される。さらに、フェルール５が上記の通り固定されることにより、フェルール５は、この中心軸Ｘ１がフェルール挿入孔２５の中心軸Ｘ２と略同軸となるように配置が規制される。中心軸Ｘ１がフェルール挿入孔２５の中心軸Ｘ２と略同軸となるように配置が規制されたフェルール５は、この中心軸Ｘ１がフェルール挿入孔２５の中心軸Ｘ２からズレることが無い状態となる。このように、フェルール５のガタツキが抑制されるとともに、フェルール５の中心軸Ｘ１がフェルール挿入孔２５の中心軸Ｘ２からズレることが無い状態となることにより、フェルール挿入孔２５内でのフェルール５の傾きが規制された状態となりフェルール５の中心が一定となることで光ファイバ８の光軸Ｄが安定する。このように、光ファイバ８の光軸Ｄが安定することにより、図９に図示するように、導光部材１３のレンズ部２１の光軸Ｅに対する光ファイバ８の光軸Ｄのズレが抑制される。
【００７１】
また、本実施例に係る光コネクタ装置５１によれば、フェルール固定手段５７にて、フェルール５の中心軸Ｘ１とフェルール挿入孔２５の中心軸Ｘ２とが、必ず略同軸となるような配置となるようにフェルール５が固定される。これにより、コネクタ嵌合時におけるフェルール挿入孔２５内でのフェルール５のガタツキが、より確実に抑制されるとともに、フェルール５の中心軸Ｘ１がフェルール挿入孔２５の中心軸Ｘ２からズレることが無い状態となり、上記ガタツキや中心軸Ｘ１、Ｘ２のズレによる光ファイバ８の光軸Ｄのズレが、より確実に抑制される。
【００７２】
これに対し、図６に図示する比較例（光コネクタ装置１０１）は、フェルール挿入孔１２５の内周面１２６に、本実施例におけるフェルール固定手段５７を設けていない。このため、光コネクタ装置１０１では、第一光コネクタ１０２と第二光コネクタ１０３との嵌合時にフェルール挿入孔１２５内でフェルール１０５のガタツキが生じてしまう。このように、フェルール５のガタツキが生じることにより、図６に図示するように、フェルール挿入孔１２５内でフェルール１０５が傾いてしまいフェルール１０５の中心が安定しなくなってしまう。このように、フェルール１０５の中心が安定しないことにより、導光部材１１３のレンズ部１２１の光軸Ｅに対して光ファイバ８の光軸Ｄのズレてしまう。
【００７３】
つぎに、本実施例に係る光コネクタ装置５１の効果について説明する。
【００７４】
以上、図８及び図９を参照しながら説明してきたように、本実施例に係る光コネクタ装置５１によれば、実施例１の効果に加え、つぎのような効果も奏する。すなわち、本実施例に係る光コネクタ装置５１によれば、フェルール５の中心軸Ｘ１がフェルール挿入孔２５の中心軸Ｘ２からズレることが無いため、光ファイバ８の光軸Ｄが安定し、図９に図示するように、導光部材１３のレンズ部２１の光軸Ｅに対する光ファイバ８の光軸Ｄのズレが、より確実に抑制される。このように、レンズ部２１の光軸Ｅに対する光ファイバ８の光軸Ｄのズレが、より確実に抑制されることにより、レンズ部２１と光ファイバ８との中心光軸を近づけることができ、第一光コネクタ２と第二光コネクタ３との嵌合時の光損失を、さらに抑制することができるという効果を奏する。
【実施例４】
【００７５】
本発明に係る光コネクタ装置は、実施例１−３の他、下記の実施例４を用いてもよいものとする。以下、図１０を参照しながら、実施例４について説明する。
【００７６】
図１０は本発明の光コネクタ装置の実施例４を示す図である。
なお、実施例１と同一の構成部材には同一の符号を付して詳細な説明を省略する。
【００７７】
図１０に図示する光コネクタ装置６１は、フェルール５の外周面３１に、特許請求の範囲に記載される「フェルール固定手段」が設けられている点において実施例２と同様であるが、「フェルール固定手段」の数及び配置箇所において実施例２と異なっている。
【００７８】
本実施例におけるフェルール固定手段６７は、図１０に図示するように、フェルール５の中心軸Ｘ１とフェルール挿入孔２５の中心軸Ｘ２とが略同軸となるような配置にフェルール５が固定されるように形成されている点において実施例３におけるフェルール固定手段５７と同様である。
【００７９】
図１０に図示するフェルール固定手段６７は、フェルール５の外周面３１の少なくとも３箇所（本実施例では、３箇所）に配置され、且つ、フェルール５の外周面３１の周方向に略等分（本実施例では、略３等分）となるように配置されている。
【００８０】
なお、フェルール固定手段６７の数及び配置箇所は、上記のものに限定されるものではない。フェルール固定手段６７の数及び配置箇所は、フェルール５の中心軸Ｘ１とフェルール挿入孔２５の中心軸Ｘ２とが略同軸となるような配置にフェルール５を固定することができるものであればよく、その他、例えば、フェルール５の外周面３１の４箇所に配置され、且つ、フェルール５の外周面３１の周方向に略４等分となるように配置されていてもよいものとする。
【００８１】
つぎに、本実施例に係る光コネクタ装置６１の効果について説明する。
【００８２】
以上、図１０を参照しながら説明してきたように、本実施例に係る光コネクタ装置６１によれば、実施例１、３と同様の効果を奏する。
【００８３】
この他、本発明は本発明の主旨を変えない範囲で種々変更実施可能なことは勿論である。
【００８４】
上記説明では、実施例１は、フェルール挿入孔２５の内周面２６にフェルール固定手段２７を設ける構成であり、実施例２は、フェルール５の外周面３１にフェルール固定手段４７を設ける構成であったが、これに限らず、つぎのような構成にしてもよいものとする。
【００８５】
すなわち、特に図示しないが、フェルール挿入孔２５の内周面２６と、フェルール５の外周面３１とに、フェルール固定手段を設ける構成であってもよいものとする。
【００８６】
また、上記説明では、実施例３は、フェルール挿入孔２５の内周面２６にフェルール固定手段５７を設ける構成であり、実施例４は、フェルール５の外周面３１にフェルール固定手段６７を設ける構成であったが、これに限らず、つぎのような構成にしてもよいものとする。
【００８７】
すなわち、特に図示しないが、フェルール挿入孔２５の内周面２６に実施例３におけるフェルール固定手段５７を設けるとともに、フェルール５の外周面３１に実施例４におけるフェルール固定手段６７を設ける構成であってもよいものとする。
【符号の説明】
【００８８】
１，４１，５１，６１…光コネクタ装置、  ２…第一光コネクタ、  ３…第二光コネクタ、  ４…光ファイバケーブル、  ５…フェルール、  ６…第一ハウジング、  ７…固定部材、  ８…光ファイバ、  ９…被覆部、  １０…フェルール収容部、  １１…発光側ＦＯＴ、  １２…受光側ＦＯＴ、  １３…導光部材、  １４…第二ハウジング、  １５…シールドケース、  １６…ＦＯＴ本体、  １７…リードフレーム、  １８…板状部、  １９…筒状部、  ２０…係合部、  ２１…レンズ部、  ２２…コネクタ嵌合部、  ２３…フェルール挿入部、  ２４…筒状部挿入孔、  ２５…フェルール挿入孔、  ２６…内周面、  ２７，４７，５７，６７…フェルール固定手段、  ２８…シールドケース位置決め部、  ２９…固定部、  ３０…グランド部、  ３１…外周面、  Ｄ…光ファイバの光軸、  Ｅ…レンズ部の光軸（導光部材の光軸）、  Ｌ１…第一線分、  Ｌ２…第二線分、  Ｘ１…フェルールの中心軸、  Ｘ，Ｘ２…フェルール挿入孔の中心軸、  Ｙ１，Ｙ２…第一交点、  Ｚ１，Ｚ２…第二交点
【図１】
2019056895.tif 000003
【図２】
2019056895.tif 000004
【図３】
2019056895.tif 000005
【図４】
2019056895.tif 000006
【図５】
2019056895.tif 000007
【図６】
2019056895.tif 000008
【図７】
2019056895.tif 000009
【図８】
2019056895.tif 000010
【図９】
2019056895.tif 000011
【図１０】
2019056895.tif 000012
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
光ファイバの先端に設けられたフェルールを保持する第一ハウジングを有する第一光コネクタと、
ＦＯＴ（Ｆｉｂｅｒ  Ｏｐｔｉｃ  Ｔｒａｎｓｃｅｉｖｅｒ）に対して用いられる導光部材と、前記ＦＯＴ及び前記導光部材が収容され且つ前記第一ハウジングが嵌合される第二ハウジングと、を有する第二光コネクタと、
を備え、
前記第二ハウジングは、
この内部にフェルール挿入部を備え、
該フェルール挿入部は、
前記フェルールが挿入可能なフェルール挿入孔が前記フェルールの挿入方向に沿って形成され且つ前記フェルール挿入孔に前記フェルールが挿入された状態において該フェルールが前記導光部材と対向して配置されるように形成され、
前記フェルールの外周面と前記フェルール挿入孔の内周面との少なくとも一方に、
前記フェルール挿入孔内における前記フェルールのガタツキを抑制するため該フェルールを前記フェルール挿入孔内に固定するフェルール固定機構が設けられ、
前記フェルールは、
前記外周面が円筒状に形成され、
前記フェルール挿入孔は、
前記内周面が円筒状に形成され、
前記フェルール固定機構は、
一対設けられ、且つ、前記フェルール挿入孔の中心軸を通り前記中心軸に直交する線分を中心に線対称になるように、且つ、前記中心軸に対して前記中心軸及び前記線分に直交する方向の一方側の位置に配置され、且つ、前記フェルールを前記フェルール挿入孔における前記中心軸に対して前記方向の他方側に位置する前記内周面に直接押し付けることができるように配置される
ことを特徴とする光コネクタ装置。
【請求項２】
請求項１に記載の光コネクタ装置であって、
前記フェルールの中心軸と、前記フェルール挿入孔の前記中心軸とは、互いに平行であり、且つ、偏心している
ことを特徴とする光コネクタ装置。
【手続補正２】
【補正対象書類名】明細書
【補正対象項目名】００１０
【補正方法】変更
【補正の内容】
【００１０】
上記課題を解決するためになされた請求項１記載の本発明の光コネクタ装置は、光ファイバの先端に設けられたフェルールを保持する第一ハウジングを有する第一光コネクタと、
ＦＯＴ（Ｆｉｂｅｒ  Ｏｐｔｉｃ  Ｔｒａｎｓｃｅｉｖｅｒ）に対して用いられる導光部材と、前記ＦＯＴ及び前記導光部材が収容され且つ前記第一ハウジングが嵌合される第二ハウジングと、を有する第二光コネクタと、
を備え、
前記第二ハウジングは、
この内部にフェルール挿入部を備え、
該フェルール挿入部は、
前記フェルールが挿入可能なフェルール挿入孔が前記フェルールの挿入方向に沿って形成され且つ前記フェルール挿入孔に前記フェルールが挿入された状態において該フェルールが前記導光部材と対向して配置されるように形成され、
前記フェルールの外周面と前記フェルール挿入孔の内周面との少なくとも一方に、
前記フェルール挿入孔内における前記フェルールのガタツキを抑制するため該フェルールを前記フェルール挿入孔内に固定するフェルール固定機構が設けられ、
前記フェルールは、
前記外周面が円筒状に形成され、
前記フェルール挿入孔は、
前記内周面が円筒状に形成され、
前記フェルール固定機構は、
一対設けられ、且つ、前記フェルール挿入孔の中心軸を通り前記中心軸に直交する線分を中心に線対称になるように、且つ、前記中心軸に対して前記中心軸及び前記線分に直交する方向の一方側の位置に配置され、且つ、前記フェルールを前記フェルール挿入孔における前記中心軸に対して前記方向の他方側に位置する前記内周面に直接押し付けることができるように配置されることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、本発明によれば、フェルール固定手段にて、フェルールがフェルール挿入孔の内周面に押し付けられて固定される。フェルールが上記の通り固定されることにより、コネクタ嵌合時におけるフェルール挿入孔内でのフェルールのガタツキが抑制される。このように、フェルールのガタツキが抑制されることにより、フェルール挿入孔内でのフェルールの傾きが規制された状態となりフェルールの中心が一定となる。このように、フェルールの中心が一定となることにより、導光部材の光軸に対する光ファイバの光軸のズレが抑制される。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また、本発明によれば、フェルール固定手段にて、フェルールがフェルール挿入孔の内周面側に必ず押し付けられる。これにより、コネクタ嵌合時におけるフェルール挿入孔内でのフェルールのガタツキが、より確実に抑制され、上記ガタツキによる光ファイバの光軸のズレが、より確実に抑制される。
【手続補正７】
【補正対象書類名】明細書
【補正対象項目名】００１６
【補正方法】変更
【補正の内容】
【００１６】
請求項２記載の本発明の光コネクタ装置は、請求項１に記載の光コネクタ装置であって、前記フェルールの中心軸と、前記フェルール挿入孔の前記中心軸とは、互いに平行であり、且つ、偏心していることを特徴とする。
【手続補正８】
【補正対象書類名】明細書
【補正対象項目名】００１７
【補正方法】変更
【補正の内容】
【００１７】
このような特徴を有する本発明によれば、フェルールの中心軸と、前記フェルール挿入孔の前記中心軸とが、互いに平行であり、且つ、偏心していることにより、フェルール挿入孔内でのフェルールの傾きが規制された状態となりフェルールの中心が一定となることで光ファイバの光軸が安定する。このように、光ファイバの光軸が安定することにより、導光部材の光軸に対する光ファイバの光軸のズレが抑制される。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００４０
【補正方法】変更
【補正の内容】
【００４０】
フェルール挿入孔２５は、図３及び図４に図示するように、内周面２６が円筒状に形成されている。本実施例では、フェルール挿入孔２５は、内周面２６に、図３及び図４に図示するように、一対のフェルール固定手段２７が設けられている。本明細書における「フェルール固定手段」は、特許請求の範囲に記載される「フェルール固定機構」に相当するものである。したがって、本明細書では、「フェルール固定手段」を、「フェルール固定機構」と読み替えてもよいものとする。フェルール固定手段２７は、フェルール挿入孔２５内におけるフェルール５のガタツキを抑制するためフェルール５をフェルール挿入孔２５内に固定することができるように形成されている。フェルール固定手段２７は、本実施例では、図３及び図４に図示するように、フェルール５の外周面３１を押圧することができ且つフェルール５がフェルール挿入孔２５の下側の内周面２６に押し付けられて固定されるように形成されている。フェルール固定手段２７は、本実施例では、断面が円弧状に形成されたリブ状に形成され、フェルール５の挿入方向に沿って延びるように形成されている。
【手続補正１２】
【補正対象書類名】明細書
【補正対象項目名】００６４
【補正方法】変更
【補正の内容】
【００６４】
図８に図示する光コネクタ装置５１は、フェルール挿入孔２５の内周面２６に、「フェルール固定手段」が設けられている点において実施例１と同様であるが、「フェルール固定手段」の数及び配置箇所において実施例１と異なっている。
【手続補正１３】
【補正対象書類名】明細書
【補正対象項目名】００７７
【補正方法】変更
【補正の内容】
【００７７】
図１０に図示する光コネクタ装置６１は、フェルール５の外周面３１に、「フェルール固定手段」が設けられている点において実施例２と同様であるが、「フェルール固定手段」の数及び配置箇所において実施例２と異なっている。
【手続補正１４】
【補正対象書類名】明細書
【補正対象項目名】００８８
【補正方法】変更
【補正の内容】
【００８８】
１，４１，５１，６１…光コネクタ装置、  ２…第一光コネクタ、  ３…第二光コネクタ、  ４…光ファイバケーブル、  ５…フェルール、  ６…第一ハウジング、  ７…固定部材、  ８…光ファイバ、  ９…被覆部、  １０…フェルール収容部、  １１…発光側ＦＯＴ、  １２…受光側ＦＯＴ、  １３…導光部材、  １４…第二ハウジング、  １５…シールドケース、  １６…ＦＯＴ本体、  １７…リードフレーム、  １８…板状部、  １９…筒状部、  ２０…係合部、  ２１…レンズ部、  ２２…コネクタ嵌合部、  ２３…フェルール挿入部、  ２４…筒状部挿入孔、  ２５…フェルール挿入孔、  ２６…内周面、  ２７，４７，５７，６７…フェルール固定手段（フェルール固定機構）、  ２８…シールドケース位置決め部、  ２９…固定部、  ３０…グランド部、  ３１…外周面、  Ｄ…光ファイバの光軸、  Ｅ…レンズ部の光軸（導光部材の光軸）、  Ｌ１…第一線分、  Ｌ２…第二線分、  Ｘ１…フェルールの中心軸、  Ｘ，Ｘ２…フェルール挿入孔の中心軸、  Ｙ１，Ｙ２…第一交点、  Ｚ１，Ｚ２…第二交点